(57)【要約】【課題】係合凸条を有する管端部を、切除することなく、容易且つ迅速に閉塞できる管端部閉塞装置の提供。【解決手段】有底筒状の蓋体を、管軸方向に縦割りにして、合体分離自在の２つの分割体に構成し、前記２つの分割体を合体させた状態の蓋体において、管端部の係合凸条を除く外径に相応する内径部と、管端部の係合凸条を内包する拡大内径部と、前記内径部の内周面に設けられたシールゴム輪嵌合環状溝とが形成されるよう前記分割体を構成し、分割体の合体面には水密性を保つシール手段が設けられ、２つの分割体の外縁部には合体状態を保つ締結手段が設けられたことを特徴とする。【選択図】　　　　図１
2004100848.tif 000002
【特許請求の範囲】
【請求項１】
有底筒状の蓋体を、管軸方向に縦割りにして、合体分離自在の２つの分割体に構成し、
前記２つの分割体を合体させた状態の蓋体において、
管端部の係合凸条を除く外径に相応する内径部と、管端部の係合凸条を内包する拡大内径部と、前記内径部の内周面に設けられたシールゴム輪嵌合環状溝とが形成されるよう前記分割体を構成し、
分割体の合体面には水密性を保つシール手段が設けられ、２つの分割体の外縁部には合体状態を保つ締結手段が設けられたことを特徴とする管端部閉塞装置。
【請求項２】
内径部と拡大内径部との段差部を管の軸方向において係合凸条に当接可能に形成したことを特徴とする請求項１に記載の管端部閉塞装置。
【請求項３】
締結手段は、２つの分割体の各々の合体面の外周縁側の相対位置に所要数突設されたボルト取付フランジを有することを特徴とする請求項１又は請求項２に記載請求項の管端部閉塞装置。
【請求項４】
シール手段は、２つの分割体の各々の合体面の相対位置において、一方のシールゴム輪嵌合環状溝から他方のシールゴム輪嵌合環状溝に一連に延在し、シール部材が嵌合されるよう形成されたシール溝であることを特徴とする請求項１乃至請求項３の何れかに記載の管端部閉塞装置。
【発明の詳細な説明】
【０００１】
【発明の属する技術分野】
本発明は、ダクタイル管等、配設される管路の端末にある管の端部を塞ぐ管端部閉塞装置に関し、詳しくは、管端部に管接続用の係合凸条を備えた管端部の閉塞に関する。
【０００２】
【従来の技術】
一般に、同型の管を順次接続して管路を形成する管路用の管は、一方端側に接続用のフランジを備えているが、他方端側即ち管端部は円筒状の管形のままのものと、円筒状の外周縁に接続用の係合部が突設されたものがある。以下、この突設された係合部を係合凸条という。この係合凸条は、例えば断面が略楔状で楔先端が管端側を向き他状態に形成されている。
【０００３】
従来、係合凸条の無い管端部を閉塞するには、例えば、管の外周面に抜止爪を食い込ませる抜止手段を備えた抜止押輪と、管端部に被せる有底筒状の蓋体と、蓋体の筒状内周面と管の外周面との間隙を水密に塞ぐため前記抜止押輪によって当該間隙に圧入される断面略楔状のシールゴム輪とが用いられていた。
即ち、予め、管の端末側から、先に抜止押輪、次にシールゴム輪を装着した後、当該管端部に蓋体を嵌め込み、抜止押輪のフランジと蓋体のフランジとに締結ボルトを通して両者を締め付けて固定することによって、抜止押輪でシールゴム輪を蓋体側の前記間隙に圧入して水密性を確保し、他方、締め付け固定した後に、抜止手段の抜止爪を管の外周面に食い込ませることによって、蓋体の抜けを阻止していた。
【０００４】
【発明が解決しようとする課題】
しかし、係合凸条の有る管端部を閉塞する際には、係合凸条が邪魔となるため、上記のように有底筒状の蓋体を当該管端部に装着することができない。
このため、わざわざ、当該係合凸条の有る管端部を切除して、当該管端部を係合凸条の無い状態に措置してから、上記のようにして管端部を閉鎖していた。
【０００５】
本発明は、このような係合凸条を有する管端部を、切除することなく、容易且つ迅速に閉塞できる管端部閉塞装置の提供を目的とする。
【０００６】
【課題を解決するための手段】
請求項１の管端部閉塞装置の発明は、有底筒状の蓋体を、管軸方向に縦割りにして、合体分離自在の２つの分割体に構成し、
前記２つの分割体を合体させた状態の蓋体において、
管端部の係合凸条を除く外径に相応する内径部と、管端部の係合凸条を内包する拡大内径部と、前記内径部の内周面に設けられたシールゴム輪嵌合環状溝とが形成されるよう前記分割体を構成し、
前記分割体の合体面には水密性を保つシール手段が設けられ、前記２つの分割体の外縁部には合体状態を保つ締結手段が設けられたことを特徴とする。
【０００７】
請求項２の発明は、請求項１に記載の管端部閉塞装置において、内径部と拡大内径部との段差部を管の軸方向において係合凸条に当接可能に形成したことを特徴とする。
【０００８】
請求項３の発明は、請求項１又は請求項２に記載の管端部閉塞装置において、締結手段は、２つの分割体の各々の合体面の外周縁側の相対位置に所要数突設されたボルト取付フランジを有することを特徴とする。
【０００９】
請求項４の発明は、請求項１乃至請求項４の何れかに記載の管端部閉塞装置において、シール手段は、２つの分割体の各々の合体面の相対位置において、一方のシールゴム輪嵌合環状溝から他方のシールゴム輪嵌合環状溝に一連に延在し、シール部材が嵌合されるよう形成されたシール溝であることを特徴とする。
【００１０】
【発明の実施の形態】
実施の形態１．
実施の形態１は、管端部に係合凸条を有する管が接続されて配設される管路の端末を閉鎖するために、当該管路の端末の管の管端部に装着する有底筒状の蓋体を、管軸方向に縦割りの２分割して２つの分割体として合体分離自在に構成し、この２つの分割体を合体させた状態の蓋体において、管端部の係合凸条を除く外径に相応する内径部と、管端部の係合凸条を内包する拡大内径部と、前記内径部の内周面に設けられたシールゴム輪嵌合環状溝とを備えるように、前記２つの分割体を形成し、各分割体の合体面には水密性を保つシール手段を、又、２つの各分割体の外縁部には合体状態を保つ締結手段を設けたものである。
以下、これを図１〜図４に基づいて説明する。図１は正面図、図２は図１のＡ−Ａ断面図、図３は底面図、図４は組み付け状態を示す正面図である。
【００１１】
図２において、１は閉鎖される管路端末の管であり、この管１の管端部には係合凸条１１がある。
図４において、２は有底筒状の蓋体であり、管端部に水密に装着される（図２）。この蓋体２は、管軸方向に縦割りに２分割されてなる分割体２１と分割体２２との２部材から成り、図３に示す分割された面（分割面）である２つの合体面２１１、２２１が互いに合わさって合体分離自在に構成されている。
【００１２】
図２及び図３において、この２つの分割体２１、２２には、合体させた状態の蓋体２において、管端部の係合凸条１１を除く管１の外径に相応する内径部２１２、２２２と、管端部の係合凸条１１を内包する拡大内径部２１３、２２３と、前記内径部２１２、２２２の内周面にシールゴム輪嵌合環状溝が形成されるように半環状のゴム輪環状溝２１４、２２４が設けられている。尚、シールゴム輪環状溝（２１４、２２４）へのシールゴム輪の嵌合については後述する。
【００１３】
前記内径部２１２、２２２と拡大内径部２１３、２２３との境面となる段差部３は、管１の軸方向において係合凸条１１に当接可能に形成する。この場合、後述のように蓋体２を管１の管端部に装着した際、段差部３が係合凸部１１に近接するように形成してもよいし、若干の間隔が管軸方向に生ずるように形成してもよい。何れにしても、蓋体２が水圧を受けて管端部方向（抜け方向に）に移動すると当該係合凸部１１に当るように形成する。
これにより、後述のように接合されて一体化された蓋体２の管端部からの脱落が阻止される。
【００１４】
又、この２つの分割体２１、２２の合体面２１１、２２１には合体時の水密性を保つためのシール手段が設けられている。
この実施の形態に示すシール手段は、２つの分割体２１、２２の各々の合体面２１１、２２１の相対する位置（相対位置）において、図２及び図３に示すように、一方のシールゴム輪嵌合環状溝から他方のシールゴム輪嵌合環状溝に一連に延在するよう形成されたシール溝２１５、２２５と、これ等２つのシール溝２１５、２２５とに嵌め込まれる一本のシール部材２６６とから成る（図２）。
シール溝２１５、２２５は当該シール部材２６６が水密に嵌合する断面形状、例えば、凹状溝でもＵ字状溝でもよい。
このシール部材２６６は、２つの分割体２１、２２が合体される直前に何れか一方の分割体、例えば分割体２１のシール溝２１５に予め嵌め込んでおき、次いで、他方のシール溝２２５に嵌るように他方の分割体２２を合わせていく。尚、詳しくは後述する。
【００１５】
更に、この２つの各分割体２１、２２の外縁部には合体状態を保つ締結手段が設けられている。
この実施の形態に示す締結手段は、２つの分割体の各々の合体面２１１、２２１の外周縁側の互いに相対位置に所要数突設されたボルト取付フランジ２１７、２２７と、両フランジ２１７、２２７の相対するボルト穴２８８を貫通してナット締めされる締結ボルト２９９とから成る。
【００１６】
シールゴム輪５は、蓋体２が管端部に装着される前に、当該管端部に装着されるシール部材である。
２つの分割体から成るこの蓋体２は、予め、シールゴム輪５を管端部に嵌め込み、何れかの分割体２１（２２）のシール溝２１５（２２５）にシール部材２６６を半嵌合させてから、２つの分割体２１、２２を管端部を挟み込むように合わせる。
この場合、２つの分割体２１、２２のシールゴム輪嵌合溝に装着されたシールゴム輪５が嵌り込むように当該シールゴム輪５を位置づけしつつ、同時に一方の分割体２１（２２）に半嵌合させているシール部材２６６が他方の分割体２２（２１）のシール溝２１５（２２５）に嵌り込むように合体作業を行う。
【００１７】
これらの作業は、シールゴム輪５については予め蓋体２のシールゴム輪嵌合溝の位置が定まっていること、又、シール部材２６６についても当該シール部材２６６の位置と相応する位置に他方の分割体（２１又は２２）のシール溝（２１５又は２２５）が形成されていることから、容易に行うことができる。
こうして、シールゴム輪５及びシール部材２６６が所定位置に収められた状態に２つの分割体２１、２２を合体させてから、各々重なった状態にあるボルト取付フランジ２１７、２２７のボルト穴２８８に締結ボルト２９９を通してナットで締め付ける（図２）。
これにより、管端末の閉鎖作業即ち管端部閉塞部材の装着が完了する。
尚、この場合、２つの分割体２１、２２は、合体面２１１（２２１）が図２に示すように水平になるように管端末に組み付けると、締結ボルト２９９の軸方向が垂直状態となるため、締結作業を更に容易に行うことができる。
【００１８】
【発明の効果】
請求項１乃至請求項４の各発明によれば、何れも、係合凸条を有する管端部を、従来のように切除することなく、容易且つ迅速に装着できる管端部閉塞装置を提供することができる。
【００１９】
又、請求項２乃至請求項４の各発明によれば、管端部の係合凸条に当接可能な段差部を設けているので、管端部から脱落の虞のない管端部閉塞装置を提供することができる。
【図面の簡単な説明】
【図１】縦断側面図である。
【図２】外観側面図である。
【図３】外観底面図である。
【図４】組み付け状態を示す正面図である。
【符号の説明】
１　管（管端部）、２　蓋体、３　段差部、５　シールゴム輪、１１　係合凸条、２１、２２　分割体（蓋体）、２１１、２２１　分割面、２１２、２２２　内径部、２１３、２２３　拡大内径部、２１４、２２４　ゴム輪環状溝、２１５、２２５　シール溝、２１７、２２７　ボルト取付フランジ、２６６　シール部材。
【図１】
2004100848.tif 000003
【図２】
2004100848.tif 000004
【図３】
2004100848.tif 000005
【図４】
2004100848.tif 000006